(57)【要約】    【課題】      定着装置のウォームアップ開始タイミングを早めることができ、ユーザーが複合機の前に到着してからウォームアップ終了までの時間を短縮することのできる複合機を提供すること。    【解決手段】  本発明の複合機は、検出エリア内に入ったユーザーが携帯したメモリカードに対して電磁波信号を送信し、ユーザーの認識情報を読み取り、前記メモリカードから読み取った認識情報に基づいてユーザー認証した直後にウォームアップ動作を開始するようにした。これにより、ユーザーが複合機の前に到着してからウォームアップ終了までの時間を短縮するができる。  【選択図】      図１
2005244623.tif 000002
【特許請求の範囲】
【請求項１】
コピー機能を含む複数の機能を搭載した複合機であって、検出エリア内に入ったユーザーが携帯したメモリカードに対して電磁波信号を送信しユーザーの認識情報を読み取る情報読取手段と、前記メモリカードから読み取った認識情報に基づいてユーザー認証した直後にウォームアップ動作を開始する制御手段と、を具備した複合機。
【請求項２】
認証ユーザーに関するウォームアップ有無情報を予め設定した個人情報テーブルを記憶する記憶部を備え、前記制御手段は前記個人情報テーブルにウォームアップ「有」を設定している場合だけユーザー認証した直後にウォームアップ動作を開始することを特徴とする請求項１記載の複合機。
【請求項３】
ユーザーの認識情報及びウォームアップ有無情報を含む個人情報が登録された個人情報テーブルをネットワーク経由で接続したサーバー上に保持し、前記メモリカードから読み取った認識情報に対応したユーザーのウォームアップ有無情報を前記サーバーから読み込んで前記記憶部へ記憶することを特徴とする請求項１記載の複合機。
【請求項４】
登録ユーザー毎に認識情報及びウォームアップ有無情報を含む個人情報が登録された個人情報テーブルを記憶した記憶装置を備え、前記メモリカードから読み取った認識情報に対応したユーザーのウォームアップ有無情報を前記記憶装置から読み込んで前記記憶部へ記憶することを特徴とする請求項１記載の複合機。
【発明の詳細な説明】
【技術分野】
【０００１】
本発明は、コピー機能を含む複数の機能を搭載した複合機に関する。
【背景技術】
【０００２】
プリンタ、コピー、スキャナ−、ＦＡＸ等の機能を１台の装置に集約化した複合機が知られている。搭載する機能によって複合機のタイプも異なるが、ここでは未定着画像を熱溶融にて記録媒体に定着させる定着装置を備えた複合機を対象に説明する。
【０００３】
待機時の消費電力を低減する目的で、待機期間中は定着装置のヒーター温度を下げておく省エネモードといわれる機能を搭載した複合機が増えている。
【０００４】
省エネモード搭載の複合機は、原稿読取台に原稿が設置されたことを検知し又は操作パネルが操作されたことを検知してからウォームアップを開始する（例えば特許文献１参照）。すなわち、ユーザーが複合機に対して直接何らかの操作を行ってからウォームアップを開始していた。ウォームアップ開始から所要温度に至るまでの時間（ウォームアップ時間）は、機種により異なるが十数秒から数分であった。
【特許文献１】特開平１０−３１５５３５号公報
【発明の開示】
【発明が解決しようとする課題】
【０００５】
しかしながら、ユーザーが複合機に対して直接何らかの操作を行ってからウォームアップを開始したのでは、ウォームアップの間はユーザーを複合機の前で待たせることになるので、この時間を短縮化することが求められる。
【０００６】
本発明は、以上のような実情に鑑みてなされたもので、定着装置のウォームアップ開始タイミングを早めることができ、ユーザーが複合機の前に到着してからウォームアップ終了までの時間を短縮することのできる複合機を提供することを目的とする。
【課題を解決するための手段】
【０００７】
本発明の複合機は、検出エリア内に入ったユーザーが携帯したメモリカードに対して電磁波信号を送信し、ユーザーの認識情報を読み取り、メモリカードから読み取った認識情報に基づいてユーザー認証した直後にウォームアップ動作を開始するようにした。
【発明の効果】
【０００８】
本発明により、定着装置のウォームアップ開始タイミングを早めることができ、ユーザーが複合機の前に到着してからウォームアップ終了までの時間を短縮することができる。
【発明を実施するための最良の形態】
【０００９】
本発明の第１の態様に係る複合機は、コピー機能を含む複数の機能を搭載した複合機であって、検出エリア内に入ったユーザーが携帯したメモリカードに対して電磁波信号を送信しユーザーの認識情報を読み取る情報読取手段と、前記メモリカードから読み取った認識情報に基づいてユーザー認証した直後にウォームアップ動作を開始する制御手段と、を具備した構成を採る。
【００１０】
これにより、ユーザーからのオペレーション開始を待たずに、ウォームアップ動作を始められる。この結果、ウォームアップ動作の開始を早めることができ、ユーザーが複合機の前に到着してからウォームアップ終了までの時間を短縮することができる。
【００１１】
本発明の第２の態様は、第１の態様に係る複合機において、認証ユーザーに関するウォームアップ有無情報を予め設定した個人情報テーブルを記憶する記憶部を備え、前記制御手段は前記個人情報テーブルにウォームアップ「有」を設定している場合だけユーザー認証した直後にウォームアップ動作を開始する。
【００１２】
これにより、ユーザー認証した直後にウォームアップ動作を開始するようにしたり、ユーザーからのオペレーション開始後にウォームアップ動作を開始するようにしたり選択できる。
【００１３】
本発明の第３の態様は、第１の態様に係る複合機において、ユーザーの認識情報及びウォームアップ有無情報を含む個人情報が登録された個人情報テーブルをネットワーク経由で接続したサーバー上に保持し、前記メモリカードから読み取った認識情報に対応したユーザーのウォームアップ有無情報を前記サーバーから読み込んで前記記憶部へ記憶する。
【００１４】
これにより、サーバーにおいて、ウォームアップ有無情報をサーバーにおいて別管理することができる。
【００１５】
本発明の第４の態様は、第１の態様に係る複合機において、登録ユーザー毎に認識情報及びウォームアップ有無情報を含む個人情報が登録された個人情報テーブルを記憶した記憶装置を備え、前記メモリカードから読み取った認識情報に対応したユーザーのウォームアップ有無情報を前記記憶装置から読み込んで前記記憶部へ記憶する。
【００１６】
これにより、複合機単独で個人情報の管理ができ、単独でユーザーが複合機の前に到着してからウォームアップを開始する処理をできる。
【００１７】
図１は本実施の形態に係る複合機の機能ブロック図である。同図には、ネットワークの一部も図示している。
【００１８】
複合機１００は、ＬＡＮ１０１を経由して各種のサーバー１０２及びクライアントＰＣ１０３に接続可能である。
【００１９】
サーバー１０２としては、個人情報テーブルを保持して個人認証及び個人情報の配信を行う個人情報用サーバー、メニューから選択したジョブをリモートプロシージャ方式で実行するＷＥＢサーバー等が含まれる。以下、サーバー１０２を個人情報用サーバー１０２として説明をする。
【００２０】
また、複合機１００は、プリンタ機能、コピー機能、スキャナ機能、ＦＡＸ機能、電子メール機能を搭載しているが、図１にはプリンタ機能及びＦＡＸ機能に関するブロックだけを示している。
【００２１】
複合機全体制御部１１０は、複合機１００の全体の制御を行う部分である。
【００２２】
プリンタ制御部１１１は、クライアントから与えられる印刷データを所定形式の画像データに変換する処理を実行する部分であり、特に画像形成ユニット（不図示）のヒーター部（定着装置）１１２にウォーアップ開始指示を与える。
【００２３】
本実施の形態の場合、ウォームアップには、メモリカード２００を用いたユーザー認証を行った直後にヒーター部１１２のウォームアップを行う早期ウォームアップと、ユーザーが複合機１００に対して何らかの操作をした場合にヒーター部１１２のウォームアップを行う通常ウォームアップがある。
【００２４】
また、プリンタ制御部１１１は、カセット制御部１１３にカセット選択の指示を与える。
【００２５】
カセット制御部１１３は複数段装備したカセット（１）から（ｎ）の中から指示されたカセットを選択して画像形成ユニットへ給紙する。
【００２６】
ＦＡＸ制御部１１４は、ＰＳＴＮに接続されファクシミリ通信のための手順を実行するモデムを有する。
【００２７】
パネル制御部１１５は、大型タッチパネル１１６に操作画面等を表示させると共に、大型タッチパネル１１６のタッチ位置及び表示内容からユーザーの入力した操作内容を解釈する。
【００２８】
ＲＦＩＤ制御部１１７は、メモリカード２００に対して電磁波信号にてデータを読み書きする機能を有する。ＲＦＩＤ制御部１１７からメモリカード２００に対して磁界を印加した場合、その時の戻り磁界にはメモリカード２００の記憶内容に応じた影響（情報）が含まれる。ＲＦＩＤ制御部１１７は、戻り磁界からメモリカード２００の記憶内容を検出する。逆に、ＲＦＩＤ制御部１１７からメモリカード２００に印加する電磁波信号でメモリカード２００に電磁的な変化を及ぼすことで情報の書き込みを行う。ＲＦＩＤ制御部１１７は、半径１ｍ程度の検出エリア内にあるメモリカード２００に対して、カード登録データの読み取り／カードへの書き込みを、電磁波信号を介して非接触で行う。
【００２９】
個人情報制御部１１８は、メモリカード２００から読み込んだ登録データの書き込み先の管理を行う。
【００３０】
また、個人情報制御部１１８は、ＲＦＩＤ制御部１１７に対してメモリカード２００に書き込むデータを通知する部分である。
【００３１】
ネットワークＩ／Ｆ部１１９は、ＬＡＮ１０１とのインターフェース部分である。
【００３２】
個人情報用サーバーＩ／Ｆ部１２０は、ＬＡＮ１０１上のサーバーのうち個人情報用サーバー１０２と通信するための処理を実行する。
【００３３】
作業用ワーク１２１は、メモリカード２００及び個人情報用サーバー１０２から受信したデータを格納する記憶部として機能する。
【００３４】
ジョブ制御部１２２は、コピー機能、プリンタ機能、ＦＡＸ機能、スキャナ機能、電子メール機能といった各機能が提供する各ジョブを実行する際に該当する各部に指示を出す部分である。
【００３５】
音声制御部１２３は、音声ガイダンスのための音声データを保持している。音声制御部１２３は、パネル制御部１１５及びジョブ制御部１２２からユーザーのオペレーションに同期して音声ガイダンスの指示が与えられると、該当する音声データをスピーカー１２４へ出力する。音声ガイダンスは大型タッチパネル１１６に表示される操作画面に対するオペレーションを補助するための音声であることが望ましいが、その他の内容であっても良い。
【００３６】
パネル角度位置センサ１２５は、大型タッチパネル１１６の角度を検出し、パネル角度駆動モータ１２６はパネル制御部１１５からの制御信号を受けて大型タッチパネル１１６の角度を調整する。本実施の形態では大型タッチパネル１１６の角度を調整可能にしているが固定した構成であっても良い。
【００３７】
以上のように、本実施の形態の複合機１００は構成されている。
【００３８】
次に、メモリカード２００の登録情報について、図２を用いて説明する。図２はメモリカード２００の登録情報を示す図である。
【００３９】
同図に示すように、メモリカード２００には個人の認識情報としてユーザーＩＤ２０１だけを記憶している。この認識情報はユーザー認証およびユーザ情報抽出のために用いられる。また、図２に示すように、ユーザー（ａ）〜（ｘ）毎に異なる個人の認識情報（ユーザＩＤ）２０１ａ〜２０１ｃが記憶されている。
【００４０】
また、メモリカード２００の登録情報をユーザーＩＤに限定することはセキュリティの面から好ましい。
【００４１】
一方、個人情報用サーバー１０２にユーザー毎に個人情報テーブルを格納している。図３は個人情報テーブルの構成例を示す図である。
【００４２】
個人情報テーブル３００は、ユーザー毎に異なる、個人の認識情報となるユーザーＩＤ２０１ａ〜２０１ｃ、名称、所属部門、ＩＤコード等の個人情報３０１ａ〜３０１ｃ、及びＷａｒｍ  ＵＰ開始の有無３０２ａ〜３０２ｃが格納されている。
【００４３】
ユーザーＩＤ２０１ａ〜２０１ｃは、図２に示すものと共通のものを使用する。
【００４４】
個人情報３０１ａ〜３０１ｃは、個人に関する情報であれば限定されるものではないが、本例では個人の名称、所属部門、ユーザーＩＤ以外のＩＤコード等から構成している。
【００４５】
Ｗａｒｍ  ｕｐ開始の有無３０２ａ〜３０２ｃは、メモリカード２００を用いたユーザー認証を行った直後に、ヒーター部１１２のウォームアップ（早期ウォームアップ）を開始するか否かの情報である。Ｗａｒｍ  ｕｐ開始の有無３０２ａ〜３０２ｃが「有り」の場合は早期ウォームアップをし、「無し」の場合はユーザーが複合機１００に対して何らかの操作をした場合にヒーター部１１２のウォームアップを行う通常ウォームアップをする。
【００４６】
次に、以上のように構成された本実施の形態の動作について、図４、図５のフローチャートを用いて説明する。
【００４７】
例えば、メモリカード２００を携帯したユーザーが複合機１００で所望の作業をするために複合機１００に接近する。
【００４８】
これに対し、複合機１００のＲＦＩＤ制御部１１７は、電磁波信号により、ユーザーと共にメモリカード２００が電磁波信号の検出エリアに入ったことを検出し（ＳＴ４０１）、そのユーザーが携帯しているメモリカード２００に対して電磁波信号を放射してメモリカード２００内の登録情報を読み出し、作業用ワーク１２１へ格納する（ＳＴ４０２）。
【００４９】
図２に示すように、メモリカード２００には当該ユーザーのユーザーＩＤ２０１が含まれている。
【００５０】
このように、複合機１００は、近辺にいるユーザーのユーザーＩＤ２０１を自動的に取得する。言い換えれば、ユーザーは、複合機１００に対して何の入力もしなくても、自動的に自身のユーザーＩＤ２０１を入力することができる。
【００５１】
次に、個人情報制御部１１８が、作業用ワーク１２１へ格納した登録情報からユーザーＩＤ２０１（個人の認識情報）を抽出して、個人情報用サーバーＩ／Ｆ部１２０へ通知する（ＳＴ４０３）。
【００５２】
個人情報用サーバーＩ／Ｆ部１２０は、個人情報用サーバー１０２に対しユーザーＩＤ２０１を送信し、個人情報用サーバー１０２に対し、ユーザーＩＤ２０１に対応する個人情報テーブル３００の存在確認要求である、個人認証要求を発行する（ＳＴ４０４）。
【００５３】
これに対し、個人情報用サーバー１０２は、個人情報用サーバーＩ／Ｆ部１２０から送られてきたユーザーＩＤ２０１を指定した個人認証要求を受信すると、そのユーザーＩＤ２０１を用いてユーザーＩＤ２０１に対応する個人情報テーブル３００が登録されているか否か判断する（ＳＴ４０５）。
【００５４】
図３に示すように、各個人情報テーブル３００はユーザーＩＤ２０１を含んでいるので、ユーザーＩＤ２０１と一致するユーザーＩＤ２０１を有する個人情報テーブル３００が登録されていれば、当該ユーザーの個人情報テーブル３００が個人情報用サーバー１０２に登録されていることになる。
【００５５】
個人情報用サーバー１０２は、個人認証要求に対して、送られてきたユーザーＩＤ２０１に対応する個人情報テーブル３００が登録されていれば「登録ユーザー検出通知」のレスポンスを送信し、個人情報テーブル３００が登録されていなければ「未登録ユーザー検出通知」のレスポンスを送信する。
【００５６】
これに対し、複合機１００の個人情報制御部１１８は、個人情報用サーバーＩ／Ｆ部１２０が「未登録ユーザー検出通知」を受信した場合、当該「未登録ユーザー検出通知」をパネル制御部１１５へ与えると共に、未登録ユーザーの使用を不可にする処理をする。
【００５７】
さらに、パネル制御部１１５は、「未登録ユーザー検出通知」が与えられた場合、大型タッチパネル１１６に未登録ユーザーである旨の表示を行うように制御する（ＳＴ４０６）。
【００５８】
このように、複合機１００は、未登録ユーザーに対して機器の使用を不可にすると共に、未登録ユーザーに対して未登録ユーザーであることを提示する。これにより、未登録ユーザーによる不正使用を防止するだけでなく、未登録ユーザーに対して登録を促すことができる。
【００５９】
一方、個人情報用サーバーＩ／Ｆ部１２０が「登録ユーザー検出通知」受けた場合、個人情報制御部１１８は、個人情報用サーバーＩ／Ｆ部１２０を用いて個人情報用サーバー１０２から、送信したユーザーＩＤ２０１に対応したサーバー側個人情報テーブル３００の情報を読み出し、作業用ワーク１２１に格納する（ＳＴ４０７）。
【００６０】
次に、複合機１００のプリンタ制御部１１１が、作業用ワーク１２１に格納した個人情報テーブル３００のＷａｒｍ  Ｕｐ開始の有無３０２を参照することにより、早期ウォームアップ開始するか否かを判断する（ＳＴ４０８）。
【００６１】
例えば、図６を例に説明すると、プリンタ制御部１１１は、ユーザーＩＤ２０１が「１２３４５６」のユーザーと「３４５６７８」のユーザーに対しては、Ｗａｒｍ  Ｕｐ開始の有無３０２が「有り」になっているので、早期ウォームアップすると判断し、ユーザーＩＤ２０１が「２３４５６７」のユーザーと「４５６７８９」のユーザーに対しては、Ｗａｒｍ  Ｕｐ開始の有無３０２が「無し」になっているので、通常ウォームアップをすると判断する。
【００６２】
ＳＴ４０８において早期Ｗａｒｍ  ｕｐ「無し」と判断すると、プリンタ制御部１１１がジョブ制御部１２２に対して早期Ｗａｒｍ  ｕｐ「無し」の旨の通知を行い、ジョブ制御部１２２がパネル制御部１１５に登録ユーザーの個人情報３０１を表示する旨の指示を通知する。又は早期Ｗａｒｍ  ｕｐ「無し」の旨の通知を行うことなく、登録ユーザー名称の表示を指示する。そして、パネル制御部１１５が、作業用ワーク１２１から個人情報テーブル３００の個人情報３０１を抽出し、大型タッチパネル１１６に登録ユーザーの名称など個人情報３０１を表示する（ＳＴ４０９）。
【００６３】
次に、パネル制御部１１５が、大型タッチパネル１１６からユーザーによる原稿セットや節電ボタン押下などの何らかのオペレーション開始を検出すると（ＳＴ４１０）、この検出結果をジョブ制御部１２２に送り、ジョブ制御部１２２がプリンタ制御部１１１に送る。そして、プリンタ制御部１１１が、ヒーター部１１２のウォームアップ（通常ウォームアップ）を開始する（ＳＴ４１１）。
【００６４】
そして、Ｗａｒｍ  ｕｐ期間経過し、ヒーター部１１２が所定温度に達し、ヒーター部１１２のウォームアップが完了すると、プリンタ制御部１１１は、ウォームアップ終了通知をジョブ制御部１２２に通知する。そして、ジョブ制御部１２２は、パネル制御部１１５に対して、大型タッチパネル１１６にコピー、ＦＡＸ、プリンタ、スキャナなどのＪＯＢを選択、開始するためのメニュー画面の表示指示を送り、パネル制御部１１５がメニュー画面を大型タッチパネル１１６に表示する（ＳＴ４１２）。
【００６５】
次に、パネル制御部１１５が大型タッチパネルよりユーザーからの何らかのＪＯＢを開始する指示を検出すると、開始指示のあったＪＯＢをジョブ制御部１２２に通知し（ＳＴ４１３）、ジョブ制御部１２２は、選択されたＪＯＢを実行する処理部に指示を出し、ＪＯＢを実行する（ＳＴ４１４）。
【００６６】
このように、ユーザーが通常ウォームアップの設定をしている場合には、ユーザーによるオペレーション開始指示があった後にウォームアップを開始する。
【００６７】
一方、ＳＴ４０８において早期Ｗａｒｍ  ｕｐ「有り」と判断すると、プリンタ制御部１１１がジョブ制御部１２２に対して早期Ｗａｒｍ  ｕｐ「有り」の旨の通知を行い、ジョブ制御部１２２がパネル制御部１１５に登録ユーザーの個人情報３０１を表示する旨の指示を通知する。そして、パネル制御部１１５が、作業用ワーク１２１から個人情報テーブル３００の個人情報３０１を抽出し、大型タッチパネル１１６に登録ユーザーの名称など個人情報３０１を表示する（ＳＴ４１５）。
【００６８】
次に、この場合は、早期ウォームアップを行う設定になっているので、プリンタ制御部１１１がヒーター部１１２のウォームアップを開始する（ＳＴ４１６）。
【００６９】
このように、早期ウォームアップの設定になっている場合には、ユーザーからのオペレーション開始を待たずに、ヒーター部１１２のウォームアップ開始タイミングを早められる。これにより、ヒーター部１１２のウォームアップを早めることができ、ユーザーが複合機の前に到着してからウォームアップ終了までの時間を短縮することができる。
【００７０】
そして、Ｗａｒｍ  ｕｐ期間経過し、ヒーター部１１２が所定温度になり、ヒーター部１１２のウォームアップが完了すると、プリンタ制御部１１１は、ウォームアップ終了通知をジョブ制御部１２２に通知する。次に、ジョブ制御部１２２は、パネル制御部１１５に対して、大型タッチパネル１１６にコピー、ＦＡＸ、プリンタ、スキャナなどのＪＯＢを選択、開始するためのメニュー画面の表示指示を送り、パネル制御部１１５がメニュー画面を大型タッチパネル１１６に表示する（ＳＴ４１７）。
【００７１】
次に、パネル制御部１１５が大型タッチパネルよりユーザーからの何らかのＪＯＢを開始する指示を検出すると、開始指示のあったＪＯＢをジョブ制御部１２２に通知し（ＳＴ４１８）、ジョブ制御部１２２は、選択されたＪＯＢを実行する処理部に対しＪＯＢ開始の指示を出し（ＳＴ４１９）、ＪＯＢを実行する（ＳＴ４２０）。
【００７２】
このように、ユーザーが早期ウォームアップの設定をしている場合には、ユーザーによるオペレーション開始指示を待たずに、ユーザーが複合機１００に接近して検出エリアに入ったらウォームアップを開始する。
【００７３】
次に、ユーザーが複合機の前に到着してからウォームアップ終了までの時間の早期ウォームウップによる短縮について、図７を用いて説明する。
【００７４】
図７に示すように、早期ウォームアップ設定の場合は、ユーザーのメモリカード２００の内容を検出した直後の時刻７０１においてウォームアップを開始し、ヒーター部１１２が所定温度に至るまでの時間（ウォームアップ時間）後の時刻７０２においてウォームアップを終了する。
【００７５】
一方、通常ウォームアップの場合は、ユーザーが複合機１００に対して何らかの操作を開始した時刻７０３からウォームアップを開始し、ヒーター部１１２が所定温度に至るまでの時間（ウォームアップ時間）後の時刻７０４においてウォームアップを終了する。
【００７６】
つまり、早期ウォームアップの設定を行うことにより、通常ウォームアップを用いた場合より、ウォームアップ開始が時間７０５だけ早くなり、これに伴ってウォームアップ終了も時間７０６だけ早くなる。この結果、複合機１００のＪＯＢ開始時刻も時間７０６だけ早くなることになる。
【００７７】
以上のように、本複合機１００において、ユーザーが早期ウォームアップを用いる設定を予めしておくことにより、ユーザーは複合機１００に近づくだけで定着装置のウォームアップを開始するようにできる。これにより、定着装置のウォームアップ開始タイミングを早めることができ、ユーザーが複合機１００の前に到着してからウォームアップ終了までの時間を短縮することができる。
【００７８】
また、個人情報テーブル３００に早期ウォームアップを設定している場合だけユーザー認証した直後にウォームアップ動作を開始するようにできる。つまり、ユーザーが、ユーザー認証した直後にウォームアップ動作を開始する早期ウォームアップとユーザーからのオペレーション開始後にウォームアップ動作を開始する定常ウォームアップとを選択することができる。
【００７９】
図８は、本実施の形態に係る複合機１００にＬＡＮ１０１を介して接続されるサーバー１０２の機能ブロック図である。
【００８０】
同図に示すサーバー１０２は、装置全体の制御を行うＣＰＵ３０１を備える。メモリ３０２は、ＣＰＵ３０１が読み込んで装置全体を制御する際に用いる制御プログラムを格納すると共に、ＣＰＵ３０１のワークメモリとしての機能を有する。ハードディスク（ＨＤ）３０３は、本実施の形態に係る複合機１００に対して供給する情報を記憶する。例えば、本サーバー１０２が個人情報用サーバーとして機能する場合には、上述の個人情報テーブルが登録ユーザー毎に記憶される。ＷＥＢサーバーとして機能する場合には、本複合機１００に対するメニューやそれに関連付けられたジョブ郡が記憶される。ネットワークＩ／Ｆ部３０４は、ＬＡＮ１０１とのインターフェース部分である。
【００８１】
上記構成を有するサーバー１０２の処理について説明する。図９は、サーバー１０２の処理を説明するためのフロー図である。なお、図９においては、特にサーバー１０２が個人認証用サーバーとして機能する場合について示している。
【００８２】
サーバー１０２は、待機状態において、本実施の形態の複合機１００からの各種情報の受信を監視している。具体的には、サーバー１０２は、認識情報（ユーザーＩＤ）の受信（ＳＴ９０１）、テーブル情報の読出し要求の受信（ＳＴ９０２）及びその他の情報の受信（ＳＴ９０３）を監視している。
【００８３】
サーバー１０２は、各種情報の受信を監視する中、ＳＴ９０１において個人の認識情報を受信したならば、ＨＤ３０３に記憶された個人情報テーブル３００から当該登録ユーザーの個人テーブル３００を検索する（ＳＴ９０４）。これにより、受信した認識情報が個人情報テーブル３００に登録されているか否かが判断される。そして、サーバー１０２は、その検索結果、すなわち、認識情報の登録の有無をアクセスしてきた複合機１００に対して送信する（ＳＴ９０５）。検索結果の送信処理を完了したならば、サーバー１０２は処理を終了する。
【００８４】
一方、ＳＴ９０２において個人情報テーブル３００の情報の読出し要求を受信したならば、サーバー１０２は、ＨＤ３０３に記憶された個人情報テーブル３００から当該登録ユーザーの個人情報テーブル３００を取り出す（ＳＴ９０６）。これにより、先に受信した認識情報に対応で受けられた登録ユーザーの個人情報テーブル３００が取り出される。そして、サーバー１０２は、その個人情報テーブル３００の情報（個人情報３０１、Ｗａｒｍ  Ｕｐ開始の有無３０２）をアクセスしてきた複合機１００に対して送信する（ＳＴ９０７）。テーブル情報の送信処理を完了したならば、サーバー１０２は処理を終了する。
【００８５】
ＳＴ９０３においてその他の情報を受信したならば、サーバー１０２は、当該情報に対応した該当処理を行う（ＳＴ９０８）。該当処理を完了したならば、サーバー１０２は処理を終了する。
【００８６】
以上のようにサーバー１０２は構成され、個人情報テーブル３００を用いて、ユーザーの認証や、個人情報３０１、Ｗａｒｍ  Ｕｐ開始の有無３０２の送信などを行う。
【００８７】
なお、本実施の形態では、個人情報用サーバー１２０が個人情報テーブル３００を蓄積し、個人情報用サーバー１０２において、ユーザー認証のための登録有無の検索、個人情報３０１、Ｗａｒｍ  Ｕｐ開始の有無３０２を別管理する形態で説明したが、個人情報テーブル３００を複合機１００が装備するハードディスク等の記憶装置に予め蓄積しておき複合機１００が個人の認証を行い、早期Ｗａｒｍ  Ｕｐ開始の有無３０２を判断する形態であっても良い。この形態によれば、個人情報３０１、早期Ｗａｒｍ  Ｕｐ開始の有無３０２をサーバー１０２から取得する必要もなく、複合機１００が単独で本発明のウォームアップ処理を行うことができる。
【産業上の利用可能性】
【００８８】
本発明によれば、定着装置のウォームアップ開始タイミングを早めることができ、ユーザーが複合機の前に到着してからウォームアップ終了までの時間を短縮することができる。また、本発明は複合機だけでなく、ウォームアップを必要とする定着装置を持つプリンタや、コピー機、ＦＡＸなどにも適用できる。
【図面の簡単な説明】
【００８９】
【図１】本発明の一実施の形態に係る複合機の機能ブロック図
【図２】上記実施の形態に係るメモリカードの登録情報を示す図
【図３】上記実施の形態に係る個人情報テーブルを示す図
【図４】本実施の形態に係る複合機の動作の第１フローチャート
【図５】本実施の形態に係る複合機の動作の第２フローチャート
【図６】本実施の形態に係るユーザーの個人情報を説明するための図
【図７】本実施の形態のＷａｒｍ  ｕｐの推移を説明するための図
【図８】本実施の形態に係るサーバーのブロック図
【図９】本実施の形態に係るサーバーの動作のフローチャート
【符号の説明】
【００９０】
１００  複合機
１０２  サーバー
１０３  クライアントＰＣ
１１０  複合機全体制御部
１１１  プリンタ制御部
１１２  ヒーター部
１１４  ＦＡＸ制御部
１１５  パネル制御部
１１７  ＲＦＩＤ制御部
１１８  個人情報制御部
１２０  個人情報用サーバーＩ／Ｆ部
１２１  作業用ワーク
１２２  ジョブ制御部
【図１】
2005244623.tif 000003
【図２】
2005244623.tif 000004
【図３】
2005244623.tif 000005
【図４】
2005244623.tif 000006
【図５】
2005244623.tif 000007
【図６】
2005244623.tif 000008
【図７】
2005244623.tif 000009
【図８】
2005244623.tif 000010
【図９】
2005244623.tif 000011